(57)【要約】【課題】蛍光灯からの発熱により暖められた空気層を効果的に利用して、蛍光灯の照度の減衰を防ぐことのできる冷凍・冷蔵ショーケースにおける照明装置を提供すること。【解決手段】蛍光灯本体１５の周囲を第１空気層２８を介して囲繞する蛍光灯カバー２６を有する冷凍・冷蔵ショーケースにおける照明装置において、蛍光灯本体１５の端部に設けられた口金部１８の周囲は、第２空気層２９を介してソケット１６で囲繞され、且つ該ソケット１６の内周面で口金部１８の外周面の一部を保持すると共に、一端側で前記蛍光灯カバー２６を装着し、第１空気層２８が第２空気層２９と連通するようにしている。【選択図】  図５
2004361050.tif 000002
【特許請求の範囲】
【請求項１】
蛍光灯本体の周囲を第１空気層を介して囲繞する蛍光灯カバーを有する冷凍・冷蔵ショーケースにおける照明装置であって、
前記蛍光灯本体の端部に設けられた口金部の周囲は、第２空気層を介してソケットで囲繞され、且つ該ソケットの内周面で前記口金部の外周面の一部を保持すると共に、一端側で前記蛍光灯カバーを装着し、前記第１空気層が第２空気層と連通していることを特徴とする冷凍・冷蔵ショーケースにおける照明装置。
【請求項２】
前記ソケットは、蛍光灯本体の口金部端面に当接する端板の片面に、蛍光灯の端部を挿入する筒部を形成したものであり、そして筒部の外側面に蛍光灯カバーを装着するとともに、筒部の内側面に形成した周方向に配置されている複数の突条で口金部の外周面を保持し、且つ互いに隣接する突条間で第２空気層を形成した請求項１に記載の冷凍・冷蔵ショーケースにおける照明装置。
【請求項３】
前記各突条に貫通孔が形成され、前記第２空気層が該貫通孔を介して連通されている請求項２に記載の冷凍・冷蔵ショーケースにおける照明装置。
【請求項４】
前記突条の反端板側の内側部が部分的に切り欠かれている請求項２または３に記載の冷凍・冷蔵ショーケースにおける照明装置。
【発明の詳細な説明】
【０００１】
【発明の属する技術の分野】
本発明は、スーパーマーケット、コンビニエンスストア、またはデパート等の食品売場等において、例えば冷凍食品や生鮮食料品等を陳列するために用いられる冷凍・冷蔵ショーケースにおける照明装置に関する。
【０００２】
【従来の技術】
従来、この種のショーケースにおいては、陳列された商品を見映え良く見せるために、庫内照明灯や棚照明灯等の照明装置が設けられている。このような照明装置には、一般的に蛍光灯等が使用されることが多い。
【０００３】
図７は従来の蛍光灯を使用した冷凍・冷蔵ショーケースにおける照明装置の口金部近傍の部分断面図であり、図７に示されるように照明装置０１３は、蛍光灯０１５の口金部０１８がソケット０１６の凹部０１９に嵌挿されることで取付けられ、ソケットカバー０１７の内周部がソケット０１６と嵌合してソケット内０１６への水滴の侵入を防止すると同時に、ガラス面０１５ａと蛍光灯カバー０２６との間の間隙０２９で形成される空気層の密封状態を確保して、蛍光灯０１５の照度が温度低下によって減衰してしまうことを極力防いでいた（特許文献１参照。）。
【０００４】
【特許文献１】
特開２００１−８８０４号公報（段落００２１−００２３、第６図）
【０００５】
【発明が解決しようとする課題】
しかしながら、上記した従来の蛍光灯１５の口金部０１８は、ソケットカバー０１７と密接しているために間隙０２９からの暖かい空気と遮断されており、ソケット０１６の外側面０１６ａが外気の冷気によって冷却されることや、蛍光灯カバー０２６とソケットカバー０１７との隙間０３０に冷気が流れ込むことにより、ソケット０１６とソケットカバー０１７が冷却され、しだいに口金部０１８の温度が熱伝導によって奪われてしまうことから、口金部０１８に接している蛍光灯０１５の両側部のガラス面０１５ａ側の温度もしだいに奪われることで冷却されてしまい、蛍光灯０１５の照度の減衰が生じるといった問題があった。
【０００６】
本発明は、このような問題点に着目してなされたもので、蛍光灯からの発熱により暖められた空気層を効果的に利用して、蛍光灯の照度の減衰を防ぐことのできる冷凍・冷蔵ショーケースにおける照明装置を提供することを目的とする。
【０００７】
【課題を解決するための手段】
前記した問題を解決するために、本発明の冷凍・冷蔵ショーケースにおける照明装置は、蛍光灯本体の周囲を第１空気層を介して囲繞する蛍光灯カバーを有する冷凍・冷蔵ショーケースにおける照明装置であって、前記蛍光灯本体の端部に設けられた口金部の周囲は、第２空気層を介してソケットで囲繞され、且つ該ソケットの内周面で前記口金部の外周面の一部を保持すると共に、一端側で前記蛍光灯カバーを装着し、前記第１空気層が第２空気層と連通していることを特徴としている。
この特徴によれば、蛍光灯による発熱により暖められている第１空気層が第２空気層と連通しているので、口金部の温度低下を防ぐことができ、蛍光灯の照度を確保できる。
【０００８】
本発明の冷凍・冷蔵ショーケースにおける照明装置は、前記ソケットは、蛍光灯本体の口金部端面に当接する端板の片面に、蛍光灯の端部を挿入する筒部を形成したものであり、そして筒部の外側面に蛍光灯カバーを装着するとともに、筒部の内側面に形成した周方向に配置されている複数の突条で口金部の外周面を保持し、且つ互いに隣接する突条間で第２空気層を形成したことが好ましい。
このようにすれば、筒部の内側面に設けた複数の突条により口金部の保持と第２空気層の形成が同時に確保できる。
【０００９】
本発明の冷凍・冷蔵ショーケースにおける照明装置は、前記各突条に貫通孔が形成され、前記第２空気層が該貫通孔を介して連通されていることが好ましい。
このようにすれば、互いに隣接する突条によって区画される第２空気層の空気が貫通孔を通じて熱交換され、第１空気層からの暖かい空気の熱を第２空気層内で均等に循環させることができるとともに、第２空気層と口金部の外周面との接触面が拡張されることで口金部が冷却されることをより効果的に防ぐことができる。
【００１０】
本発明の冷凍・冷蔵ショーケースにおける照明装置は、前記突条の反端板側の内側部が部分的に切り欠かれていることが好ましい。
このようにすれば、口金部がソケットに挿入しやすく、また蛍光灯本体の外径にバラツキがあっても余裕をもって受け入れることができる。
【００１１】
【発明の実施の形態】
以下、本発明の実施例を図面に基づいて説明する。図１は本発明の適用された冷凍・冷蔵ショーケース１の縦断面図であり、３は内箱、８は断熱筐体としての外箱、４は側板であり、これら内箱３、外箱８、側板４により前方に解放する商品陳列用空間部６が構成されており、内箱３に固着された複数の陳列棚７により商品を多段に陳列出来るようになっている。
【００１２】
内箱３と、その外側に配設される外箱８との間には、空気の挿通路９が設けられており、この挿通路９内に設けられるファン１０を駆動させ、商品陳列用空間部６の前方下部に設けられる取込口１１から空気を取り込むとともに、取り込んだ空気を図示しない冷却装置により冷却し、図中矢印方向に循環させることで、商品陳列用空間部６内を、冷凍食品や生鮮食料品等を陳列可能な所定温度まで冷却出来るようになっている。
【００１３】
また、商品陳列用空間部６の前方上部に設けられた排出口１２からは下方の取込口１１に向けて冷気が排出され、商品陳列用空間部６の前面にエアーカーテンが作り出されるため、商品陳列用空間部６内の冷気の散失や外部からの熱進入が防止され、商品陳列用空間部６内の温度が一定に保持されるようになっている。
【００１４】
この冷凍・冷蔵ショーケース１には、陳列棚７に陳列された商品、及び庫内を照らすための照明装置１３が、従来公知のクリップ１４を介して複数箇所に設けられている。このクリップ１４は、樹脂材あるいは金属材により下向き略Ｃ字状に形成されているもので、照明装置１３を弾性的に狭持できるようになっている。
【００１５】
図２（ａ）には略円筒棒状の蛍光灯本体の端部に装着されるソケットの側面図が、図２（ｂ）にはソケットの正面図がそれぞれ示されている。ソケット１６は例えばシリコンゴムにより略円筒状に形成されており、蛍光灯本体１５の口金部１８（図３参照）が挿入可能な筒部３２を有し、口金部１８の口金部端面１８ａが当接する端板３１には、蛍光灯の差込ピン２１を挿通する孔３１ａが形成されている。端板３１の外面には、差込ピン２１の接続端子（図示略）が内設されたカバー２２が設けられており、その下面からはリード線２３が延出されている。
【００１６】
ソケット１６の筒部３２は略円筒状に形成されており、蛍光灯の口金部１８を内部に挿入できるようになっている。筒部３２の内周面３３には複数の突条３０が周方向に略等間隔に配置されて、この突条３０には、口金部１８を保持するために口金部１８に突設する保持部３０ａが形成されていると共に、反端板側の内側部は部分的に切り欠かれた切欠部３０ｂが形成されている。この切欠部３０ｂにより口金部１８がソケットに挿入しやすく、またガラス面１５ａ（図３参照）の外径にバラツキがあっても余裕をもって受け入れることができる。
【００１７】
筒部３２の外周面３４は、後述する蛍光灯カバー２６の内周面２６ａに嵌挿させて取付けることができる外径となっており、外周面３４の端板３１側には蛍光灯カバー２６の端部の内周面２６ａと係合可能な係合突起３５が形成される。
【００１８】
図３には、前記ソケット１６と、断熱に優れた透明部材（例えばポリカーボネイト製）が用いられた蛍光灯カバー２６と、筒状ガラス面１５ａで形成された蛍光灯本体１５が示されている。この蛍光灯カバー２６は内径が筒状ガラス面１５ａの外径よりも大径の筒状で構成されており、蛍光灯本体１５はガラス面１５ａの両側端に口金部１８が設けられ、口金部１８の口金部端面１８ａに差込ピン２１が突設されている。
【００１９】
ソケット１６に蛍光灯本体１５と蛍光灯カバー２６を取付けるには、まず蛍光灯本体１５を矢印が示す方向からソケット１６の筒部３２に口金部１８を挿入させ、図２（ａ）、（ｂ）に示される筒部３２の内側面に形成された突条３０の保持部３０ａに嵌挿させながら、さらに差込ピン２１を端板３１に形成された孔３１ａに挿入させ、口金部１８の口金部端面１８ａを端板３１に当接させる。
【００２０】
次に、矢印に示される方向からソケット１６の筒部３２の外周面３４に蛍光灯カバー２６の内周面２６ａを嵌挿させながら、さらに端板３１方向に蛍光灯カバー２６を嵌挿させていくことで、蛍光灯カバー２６を弾性拡径させ、外周面３４に形成された係合突起３５と係合させることで、蛍光灯カバー２６がソケット１６に取付けられる。
【００２１】
このように、蛍光灯本体１５の口金部１８を複数の突条３０の保持部３０ａに嵌挿することよって、蛍光灯本体１５はソケット１６に取付けられ、蛍光灯カバー２６の内周面２６ａが筒部３２の外周面３４に形成された係合突起３５と係合されることで、位置固定されソケット１６に装着される構造になっている。
【００２２】
このようにして一方のソケット１６に蛍光灯本体１５と蛍光灯カバー２６の一端が装着されたあと、他端側も同様に他方のソケット１６’を蛍光灯本体１５と蛍光灯カバー２６を装着させることで照明装置１３が構成される。
【００２３】
そして図１に示されるように照明装置１３をクリップ１４に装着させて、カバー２２から延出されるリード線２３を電源供給口（図示略）に接続することで冷凍・冷蔵ショーケース１への取付けが完了する。
【００２４】
図４（ａ）には蛍光灯から成る照明装置１３の側面図が示され、図４（ｂ）には図４（ａ）のＢ−Ｂ線断面図が示されており、蛍光灯カバー２６が蛍光灯本体１５の外周を囲繞するように取付けられることで、照明装置１３内は密閉状態になるとともに、蛍光灯カバー２６の内周面２６ａと蛍光灯本体１５のガラス面１５ａとの間には所定の第１空気層２８が形成され、ソケット１６の内周面３３と口金部１８の外周面１８ｂとの間には所定の第２空気層２９が形成されている。
【００２５】
この第２空気層２９は筒部３２の内周面３３に形成した周方向に配置されている複数の互いに隣接する突条３０間で区画されていて、第１空気層２８とガラス面１５ａの端部のところで連通している。
【００２６】
図５に示されるように、蛍光灯を点灯させると、蛍光灯本体１５が発熱し、ガラス面１５ａ側から蛍光灯カバー２６の内周面２６ａ方向にかけて第１空気層２８の空気が徐々に暖められていくとともに、第１空気層２８に連通している第２空気層２９の空気にも次第に熱が伝わり暖められていく。
【００２７】
したがって、暖められた第２空気層２９の空気によって口金部１８が暖められるので、冷凍・冷蔵ショーケース１の冷気によってソケット１６が冷却される場合でも、口金部１８が冷却されることを防ぐことができるので、口金部１８を含めた蛍光灯全体の温度低下を防ぐことができ、蛍光灯の照度の減衰を防止できるとともに、従来よりも同一条件下で低出力（ワット）の蛍光灯を利用することが可能になり、消費電力のコストを抑えることができる。
【００２８】
また、照明装置１３では、第１空気層２８から第２空気層２９に流れ込む暖かい空気が外気によって冷却されて端板３１付近で結露等が生じることがあっても、ソケット１６の端板３１と口金部端面１８ａが当接されているので、結露が差込ピン２１や接続端子（図示略）へ進入することが確実に防止される構造になっている。
【００２９】
次に、ソケット１６の変形例である変形ソケット４６を、図６に基づいて説明する。なお、以下の変形例において前記実施例と同様の構造部分に関しては、同一の符号を付すことにより詳細な説明は省略することとする。
【００３０】
変形ソケット４６の内周面３３には、前記実施例の突条３０の中間部と端板３１側にそれぞれ貫通孔５２、貫通孔５３を形成させることで、切欠部５０ｂと保持部５０ａを備える第１突条５０と、保持部５１ａを備える第２突条５１が形成されている。
【００３１】
変形ソケット４６の内周面３３には形成された保持部５０ａと保持部５１ａに口金部１８が嵌挿されて蛍光灯本体１５が取付けられ、変形ソケット４６の外周面３４には蛍光灯カバー２６が嵌挿され取付けられ、前記実施例と同様に照明装置１３内は密閉状態になるとともに、蛍光灯カバー２６の内周面２６ａと蛍光灯本体１５のガラス面１５ａとの間には所定の第１空気層２８が形成され、ソケット１６の内周面３３と口金部１８の外周面１８ｂとの間には所定の第２空気層２９が形成されている。
【００３２】
前記実施例の第２空気層２９は互いに隣接する突条３０の間で区画されていたのに対し（図５参照）、変形例である変形ソケット４６の第２空気層２９は貫通孔５２、貫通孔５３を介して連通されているので、第１空気層２８からの暖かい空気の熱を第２空気層２９内で均等に循環させることができるとともに、第２空気層２９と口金部１８の外周面１８ｂとの接触面が拡張されることで口金部１８が冷却されることをより効果的に防ぐことができる。
【００３３】
以上、本発明の実施形態を図面により前記実施例にて説明してきたが、本発明はこれら実施例に限定されるものではなく、本発明の趣旨を逸脱しない範囲における変更や追加があっても本発明に含まれることは言うまでもなく、例えば、本実施例における蛍光灯カバー２６は一重のカバー構造となっているが、２重構造のカバーを用いることで、冷気による第１空気層２８の温度低下をより確実に防止できる構成としても良い。
【００３４】
また、前記実施例の照明装置１３として略円筒棒状の蛍光灯を用いて説明してきたが、従来用いられている他の形状の蛍光灯にも適用できることは言うまでもない。
【００３５】
【発明の効果】
本発明は次の効果を奏する。
【００３６】
（ａ）請求項１の発明によれば、蛍光灯による発熱により暖められている第１空気層が第２空気層と連通しているので、口金部の温度低下を防ぐことができ、蛍光灯の照度を確保できる。
【００３７】
（ｂ）請求項２の発明によれば、筒部の内側面に設けた複数の突条により口金部の保持と第２空気層の形成が同時に確保できる。
【００３８】
（ｃ）請求項３の発明によれば、互いに隣接する突条によって区画される第２空気層の空気が貫通孔を通じて熱交換され、第１空気層からの暖かい空気の熱を第２空気層内で均等に循環させることができるとともに、第２空気層と口金部の外周面との接触面が拡張されることで口金部が冷却されることをより効果的に防ぐことができる。
【００３９】
（ｄ）請求項４の発明によれば、口金部がソケットに挿入しやすく、また蛍光灯本体の外径にバラツキがあっても余裕をもって受け入れることができる。
【図面の簡単な説明】
【図１】本発明の適用された冷凍・冷蔵ショーケースを示す縦断面図である。
【図２】（ａ）はソケットを示す側面図であり、（ｂ）は（ａ）のＡ−Ａ線正面図である。
【図３】蛍光灯へのソケットの装着状態を示す概略図である。
【図４】（ａ）は蛍光灯カバーの一部破断正面図であり、（ｂ）は（ａ）のＢ−Ｂ線断面図である。
【図５】ソケットと蛍光灯と蛍光灯カバー間の空気の循環を示す一部破断図である。
【図６】ソケットの変形例と蛍光灯と蛍光灯カバー間の空気の循環を示す一部破断図である。
【図７】従来の蛍光灯カバーが装着された蛍光灯の要部を示す一部破断正面図である。
【符号の説明】
１          冷凍・冷蔵ショーケース
３          内箱
４          側板
６          商品陳列用空間部
７          陳列棚
８          外箱（断熱筐体）
９          挿通路
１０        ファン
１１        取込口
１２        排出口
１３        照明装置
１４        クリップ
１５        蛍光灯本体
１５ａ      ガラス面
１６        一方のソケット
１６’      他方のソケット
１８        口金部
１８ａ      口金部端面
１８ｂ      外周面
２１        差込ピン
２２        カバー
２３        リード線
２６        蛍光灯カバー
２６ａ      内周面
２８        第１空気層
２９        第２空気層
３０        突条
３０ａ      保持部
３０ｂ      切欠部
３１        端板
３１ａ      孔
３２        筒部
３３        内周面
３４        外周面
３５        係合突起
４６        変形ソケット
５０        第１突条
５０ａ      保持部
５０ｂ      切欠部
５１        第２突条
５１ａ      保持部
５２、５３  貫通孔
【図１】
2004361050.tif 000003
【図２】
2004361050.tif 000004
【図３】
2004361050.tif 000005
【図４】
2004361050.tif 000006
【図５】
2004361050.tif 000007
【図６】
2004361050.tif 000008
【図７】
2004361050.tif 000009